(57)【要約】【課題】現代版パチンコ機用の制御釘およびそれを用いたパチンコ機を提供する。【解決手段】パチンコ機の盤面に配置される打球制御用の制御釘であって、該制御釘の頂部面及び胴部面に特殊曲面模様を施したものであり、前記特殊曲面模様が曲面印刷によるものであって、頂部面の曲面印刷模様は、盤面の画像にマッチした模様印刷面であり、胴部面への曲面印刷模様は、胴部の円周方向に印刷インキによる不連続な凹凸を設けた特定模様面であるものであり、また、前記頂部面の特殊曲面模様が印刷及び金属メッキによる盤面の画像にマッチした模様印刷面であり、前記胴部面の特殊曲面模様が、印刷及び金属メッキ、またはプレス加工による不連続な凹凸を設けたものである。【選択図】図１
0003135561.tif 000002
【実用新案登録請求の範囲】
【請求項１】
パチンコ機の盤面に配置される打球制御用の制御釘であって、該制御釘の頂部面及び胴部面に特殊曲面模様を施したことを特徴とする制御釘。
【請求項２】
前記特殊曲面模様が曲面印刷によるものであり、頂部面の曲面印刷模様は、盤面の画像にマッチした模様印刷面であり、胴部面への曲面印刷模様は、胴部の円周方向に印刷インキによる不連続な凹凸を設けた特定模様面であることを特徴とする請求項１に記載の制御釘。
【請求項３】
前記特殊曲面模様が印刷及び金属メッキによるものであり、頂部面の金属メッキ模様は、盤面の画像にマッチした模様の金属メッキ面であり、胴部面への金属メッキ模様は、胴部の円周方向に金属メッキによる不連続な凹凸を設けた特定模様面であることを特徴とする請求項１に記載の制御釘。
【請求項４】
前記特殊曲面模様が頂部面の模様は曲面印刷または金属メッキによる模様であり、胴部面への模様は、胴部の円周方向にプレス加工による不連続な凹凸を設けた特定模様面であることを特徴とする請求項１に記載の制御釘。  
【請求項５】
前記胴部面へ施される特定模様面が、釘の長手軸線に対し略平行な凹凸面、または不特定なまだら模様凹凸面であることを特徴とする請求項２〜４のいずれか１項に記載の制御釘。
【請求項６】
前記胴部面へ施される特定模様面の凹凸面が、段差が０．０１〜０．５ｍｍの凹凸面であることを特徴とする請求項５に記載の制御釘。
【請求項７】
請求項１乃至６のいずれか１項に記載の制御釘を盤面に備えたことを特徴とするパチンコ機。
【考案の詳細な説明】
【技術分野】
【０００１】
本発明は、パチンコ機用の制御釘、およびそれを用いたパチンコ機に関するものである。
【背景技術】
【０００２】
パチンコ機の永い歴史の中で、最も画期的な改良は、パチンコ機における球の発射装置が電動式に変革されたことであろう。しかも、昨今のパチンコにおいては電動式球発射装置に加えて、更にコンピュータによる制御により球の出球率が自動的にコントロールされている。（例えば、特許文献１参照））
従って、人力によりハンドル操作をし球を発射していた時代において、出球率をパチンコ盤面に設けられた釘の角度を微妙に調整することにより出玉率を制御する専門技術者として活躍していた、いわゆる「釘師」の活躍する場は殆ど無くなってしまっている。
昨今は、釘の角度を意図的に調整し出球率を変えることは、むしろ禁止されている。
従って、パチンコ機における釘の役目は、意図的に調整をされるものではなく、あるがままの状態で、しかも或程度の偶然性をも与えるものとしての役目に変わりつつある。
しかも、昨今のパチンコ機の盤面の多彩化に伴って、盤面に乱立する通常の釘は、盤面の画像、模様に対して、むしろ景観を損なうものとなってきている。
【特許文献１】特開平５−４９７３８号公報
【考案の開示】
【考案が解決しようとする課題】
【０００３】
昨今のパチンコ機における釘の復権を図るものとして、上記のごとき昨今のパチンコ機に適合する現代判パチンコ機用の制御釘の提供が望まれている。  
本考案は、上記に鑑み、昨今のパチンコ機に適合する現代判パチンコ機用の制御釘およびそれを用いたパチンコ機を提供することをその目的としている。
【課題を解決するための手段】
【０００４】
本考案のパチンコ機用の制御釘は、
１）パチンコ機の盤面に配置される打球制御用の制御釘であって、該制御釘の頂部面及び胴部面に特殊曲面模様を施されたものであり、
２）上述の１）において、前記特殊曲面模様を曲面印刷によるものとし、頂部面の曲面印刷模様は、盤面の画像にマッチした模様印刷面とし、胴部面への曲面印刷模様は、胴部の円周方向に印刷インキによる不連続な凹凸を設けた特定模様面としたものであり、
３）上述の１）において、前記特殊曲面模様を印刷及び金属メッキによるものとし、頂部面の金属メッキ模様は、盤面の画像にマッチした模様の金属メッキ面とし、胴部面への金属メッキ模様は、胴部の円周方向に金属メッキによる不連続な凹凸を設けた特定模様面としたものであり、
４）上述の１）において、前記特殊曲面模様を、頂部面の模様は曲面印刷または金属メッキによる模様とし、胴部面への模様は、胴部の円周方向にプレス加工による不連続な凹凸を設けた特定模様面としたものであり、
５）上述の２）〜４）において、前記胴部面へ施される特定模様面を、釘の長手軸線に対し略平行な凹凸面、または不特定なまだら模様凹凸面としたものであり、
６）上述の５）において、前記胴部面へ施される特定模様面の凹凸面を、段差ΔＴが０．０１〜０．５ｍｍの凹凸面としたものである。
【０００５】
本考案のパチンコ機は、
７）上述の１）〜６）のいずれかに記載の制御釘を盤面に備えたことを特徴とするものである。
【考案の効果】
【０００６】
制御釘の頂部面及び胴部面に特殊曲面模様を、印刷、金属メッキ、プレスにより施すことにより、昨今のパチンコ機に適合するパチンコ機用の制御釘およびそれを用いたパチンコ機を提供することができる。
【考案を実施するための最良の形態】
【０００７】
図１は、本考案のパチンコ機用の制御釘の１例を示す図である。
図２は、本考案のパチンコ機用の制御釘の他の１例を示す図である。  
図３は、本考案のパチンコ機用の制御釘の胴部の一部断面を示す説明図であり、
（ａ）は、連続した特殊曲面模様による凹凸面であり、（ｂ）は胴部面の一部に構成された特殊曲面模様による凸面である。
図において、１は制御釘、１１は胴部面、１２は頂部面、２は胴部面模様、２１は縞模様の凸部、２２は縞模様の凹部、２３はまだら模様の凸部、３は頂部面の模様、３１は他の頂部面の模様、ΔＴは連続した特殊曲面模様の凹凸の高さ、ΔＴ0 は胴部面の一部に構成された特殊曲面模様による凸面の高さである。
【０００８】
［実施の形態１］
本実施の形態１においては、前記パチンコ機用の制御釘の特殊曲面模様は曲面印刷で印刷されたもので構成されている。
図１において、従来使用されている金属製の釘１は、通常丸型の頂部と剣先を有する胴部よりなっている。従って、頂部面１２と胴部面１１とは曲面の性状が異なっており、また、パチンコ機における各部の機能的役割も異なっている。
すなわち、印刷方向は胴部面１１では円周方向の曲面印刷２であり、頂部面１２では長手軸方向の曲面印刷３となる。また、機能的役割も頂部面１２はパチンコ盤面に構成されている画像乃至模様に対して、十分にマッチングする模様乃至色彩を構成するものであるのに対して、胴部面１１に構成される模様２は発射されて移動する打球の方向を変化させるための制御釘１としての役目に、制御性を与えることを主とする曲面印刷２である。
【０００９】
従って、頂部面１２の印刷は画像、色彩そのものが主であり、凹凸は少なくて良く、重点は模様、色彩におかれる。これに対して胴部面１１における印刷は、打球の反発方向を制御するため凹凸段差は或程度のものが必要であり、また模様の凹凸間隔が重要である。
また、釘自体の太さも、従来は釘をパチンコ盤面に打ち込み後、角度を変更調節するための自由度、すなわち曲げ易さのために１ｍｍ以下の細いものが使用されていたが、本実施の形態１の制御釘は、曲げる必要が無く真っ直ぐに打ち込まれた状態で使用されるため、その太さを太くすることが可能となった。
【００１０】
図１における、胴部面１１に構成される縞状模様２１は、打球の反発方向に多様性を与えるために、円周に対して３〜５条の縞模様、段差ΔＴは０．０１〜０．５ｍｍ程度であることが望ましい。また、図１においては、平行縞の場合を示しているが、軸線に対し傾斜を有する縞模様、大きく捻れている縞模様等にすることにより、反発方向により多くの多様性を与えることができる。
【００１１】
また、縞模様の条毎に、または同一条内において、曲面印刷のインキに摩擦係数の異なる印刷インキを使用することにより、より多くの反発方向の多様性を得ることもできる。
ただ、基本的に曲面印刷と制御釘１の本体との密着性が十分である必要があり、また、印刷インキそのものに耐摩耗性にすぐれたものを使用することが望ましい。このため印刷インキに、耐摩耗性の粉体、例えば、酸化アルミ、窒化ケイ素等の微粉体を混入することもできる。
【００１２】
図２は、前記胴部面１１の曲面模様がまだら模様２３である場合の１例を示している。
図１における場合と同様に、該まだら模様２３には縞模様２１に要求される条件と同じ条件が望まれる。縞模様２１に較べてまだら模様２３の反発方向の多様性はより大きくなる。
【００１３】
［実施の形態２］
本実施の形態２では、曲面模様が印刷インキによる曲面印刷の場合に対して、曲面模様が金属メッキにより構成されるものである。金属メッキによる曲面模様に期待される性状、例えば、厚さ、凹凸間の距離等は印刷模様の場合と同じである。
本実施の形態２では、色彩、模様に対する自由度は曲面印刷の場合に較べて低いが、一方、耐摩耗性に優れ、また金色の金属メッキにより高級感を演出することもできる。
【００１４】
本実施の形態２における、金属メッキにはＦｅ、Ｎｉ、Ｃｕ、Ｃｄ、または、それらの各合金から選ばれた金属メッキが好ましい。曲面模様はマスキングにより作成される。縞模様の条毎に、または、まだら模様毎に異なる金属メッキを配することもできる。また、縞模様２１の条毎に、または、まだら模様２３毎に厚さΔＴ0 を変えることもできる。凸部の高さΔＴ0 は、段差ΔＴと同様に０．０１〜０．５ｍｍ程度であることが望ましい。
【００１５】
［実施の形態３］
本実施の形態３では、制御釘１の胴部面１１に対する凹凸模様をプレス加工により形成するものである。半径方向からのプレス法、ローリング法等により形成する。プレス加工により形成される曲面模様に要求される条件は、実施の形態１、２において求められる条件と同じである。
ただ、プレスのダイとの関係で各凸部のエッジは、実施の形態１、２の場合に較べ鈍化すし、このため前記反発方向の多様性は若干落ちる。
しかしながら、プレスによる胴部面１１に対する凹凸模様を作成する過程で、釘本体の胴部の基本形状そのものを、円筒形状から多角形状等に形成することは可能であり、この場合は大きな反発方向の多様性を期待することができる。
【産業上の利用可能性】
【００１６】
本考案においては、パチンコ機における制御釘について述べられているが、打球による遊技、例えばコリントゲーム等にも本考案を適用することができる。
【図面の簡単な説明】
【００１７】
【図１】本考案のパチンコ機用の制御釘の１例を示す図である。
【図２】本考案のパチンコ機用の制御釘の他の１例を示す図である。
【図３】本考案のパチンコ機用の制御釘の胴部の一部断面を示す説明図であり、（ａ）は、連続した特殊曲面模様による凹凸面であり、（ｂ）は胴部面の一部に構成された特殊曲面模様による凸面である。
【符号の説明】
【００１８】
１  制御釘、
１１  胴部面、
１２  頂部面、
２  胴部面模様、
２１  縞模様の凸部、
２２  縞模様の凹部、
２３  まだら模様の凸部、
３  頂部面の模様、
３１  他の頂部面の模様、
ΔＴ  連続した特殊曲面模様の凹凸の高さ、
ΔＴ0 胴部面の一部に構成された特殊曲面模様による凸面の高さ。
【図１】
0003135561.tif 000003
【図２】
0003135561.tif 000004
【図３】
0003135561.tif 000005